(57)【要約】【課題】  ＡＰＳカートリッジの画像の読み取りを途中で中止したため総コマ数が判別できない場合や、違う種類の詰め替え用カートリッジに間違えてフィルムを詰め替えた場合などでも、安全かつ正常にフィルムをカートリッジに巻き取ることを可能にすることを目的とする。【解決手段】  カートリッジからフィルムを引き出すときにカートリッジ内部のスプールの回転速度を検出してスプール径を判別する。カートリッジ内にフィルムを巻き戻すときに、上記で判別した結果に応じてスプールの回転速度を適切に設定して正常に巻き戻しができるようにする。【選択図】        図４
2006165612.tif 000002
【特許請求の範囲】
【請求項１】
カートリッジに収納されたフィルムの画像を読み取る画像読取装置において、
前記カートリッジ内部のスプールを回転させるスプール回転手段と、
前記スプール回転手段により引き出された前記フィルムを所定速度で給送する給送手段と、
前記フィルムが引き出されている量を検出する引き出し量検出手段と、
前記給送手段で前記フィルムを引き出しているときに前記スプールの回転速度を検出する回転速度検出手段と、
前記回転速度検出手段の検出結果から前記スプールの径を判別する判別手段とを備え、
前記カートリッジに前記フィルムを巻き取るときに、前記給送手段により前記フィルムを所定速度で給送するとともに、前記引き出し量検出手段と前記判別手段の結果に基づいて前記スプール回転手段の回転速度を設定するようにしたことを特徴とする画像読取装置。
【発明の詳細な説明】
【技術分野】
【０００１】
本発明は、光源を用いてフィルムに照射した透過光または反射光を撮像素子で撮像してフィルムの画像を読み取る画像読取装置に関する。
【背景技術】
【０００２】
従来、フィルムなどの透過原稿の画像を読み取る画像読取装置では、フィルムと撮像素子を相対移動させながら、フィルムに光源を照射して得られる透過光を撮像素子で撮像することにより画像を読み取る構成となっている。
【０００３】
このような画像読取装置では、読み取ることのできるフィルムの種類として様々なものがあり、３５ｍｍフィルム、ＡＰＳフィルム、ブローニフィルムなどがある。さらに、それぞれのフィルムには形態として様々な形態があり、３５ｍｍフィルムやブローニフィルムではフィルムを数コマにカットしたものやカットせずに長尺状になっているもの、１コマずつにカットしてスライド用にマウントしたものなどがある。ＡＰＳフィルムでは、３５ｍｍフィルムと同様な形状のほか、カートリッジにフィルムを収めた状態のものがある。画像読取装置の種類により、これら様々なフィルムの種類・形態からいくつかを読み取ることができるように構成されている（例えば、特許文献１参照）。
【０００４】
ＡＰＳカートリッジを読み取ることのできる画像読取装置における構成としては、一般的に次のようになる。画像読取装置にカートリッジを装着すると、カートリッジ内に収められているフィルムを引き出し、フィルムを所定速度で給送しながら撮像素子で撮像することにより画像を読み取る。画像を読み取り終わった後は、引き出されているフィルムをカートリッジ内に全て巻き取った後、画像読取装置からカートリッジを取り外す。
【０００５】
ＡＰＳカートリッジには複数の種類があり、フィルムの長さ（コマ数）に応じてカートリッジ内のスプールの径が異なっている。カートリッジ内にフィルムを巻き取るときには、スプールを回転させて巻き取るが、装置内でフィルムがたるんだり突っ張ったりしないように、スプールの径及び巻き取られているフィルムの厚さに応じてスプールの回転速度を適切に制御する必要がある。
【特許文献１】特開平９−３１２８０１号公報
【発明の開示】
【発明が解決しようとする課題】
【０００６】
しかしながら、上述した画像読取装置では以下の問題点がある。カートリッジのスプールの径を判別するには、何枚撮りのカートリッジかを判別する必要がある。何枚撮りのカートリッジかを判別する方法として、フィルムの長手方向に所定間隔であけられたパーフォレーションの数を数える方法があるが、パーフォレーションの総数がわからないと何枚撮りかがわからないため、フィルムを全て引き出す必要がある。従って、画像読取装置へのカートリッジの装着後、画像の読み取りを途中で中止してカートリッジを取り外したい場合には、フィルムが全て引き出されていないため何枚撮りのカートリッジかが判別できず、カートリッジへのフィルムの巻き取りが正常にできないという問題点がある。
【０００７】
何枚撮りのカートリッジかを判別する別の方法として、フィルムに形成された潜像バーコードを読み取る方法がある。バーコードの情報の１つとして、フィルムが何枚撮りかを示す情報があり、これを読み取ることによりカートリッジへのフィルムの巻き取りを制御する方法がある。しかし、バーコードの情報はフィルムが何枚撮りかを示すものであって、カートリッジの種類を示すものではない。カートリッジには詰め替え用のカートリッジがあり、これもスプールの径が異なる数種類があるが、違う種類の詰め替え用カートリッジにフィルムを詰め替えてしまった場合は、カートリッジとフィルムの種類の対応がとれず、フィルムを巻き取るときのスプールの回転速度制御が誤ったものとなり、正常にフィルムを巻き取れないという問題点がある。
【０００８】
本発明は、以上のような局面に鑑みてなされたもので、下記の課題を解決するための手段の提供を目的としている。すなわち、その目的は、画像の読み取りを途中で中止してＡＰＳカートリッジのフィルムのコマ数がわからない場合や、違う種類の詰め替え用カートリッジに間違えてフィルムを詰め替えた場合などでも、安全かつ正常にフィルムをカートリッジに巻き取ることを可能にすることにある。
【課題を解決するための手段】
【０００９】
このため、本発明は、上記の目的に対して下記に示す構成の画像読取装置の提供によりそれぞれ前記の各目的を達成しようとするものである。
【００１０】
カートリッジに収納されたフィルムの画像を読み取る画像読取装置において、前記カートリッジ内部のスプールを回転させるスプール回転手段と、前記スプール回転手段により引き出された前記フィルムを所定速度で給送する給送手段と、前記フィルムが引き出されている量を検出する引き出し量検出手段と、前記給送手段で前記フィルムを引き出しているときに前記スプールの回転速度を検出する回転速度検出手段と、前記回転速度検出手段の検出結果から前記スプールの径を判別する判別手段とを備え、前記カートリッジに前記フィルムを巻き取るときに、前記給送手段により前記フィルムを所定速度で給送するとともに、前記引き出し量検出手段と前記判別手段の結果に基づいて前記スプール回転手段の回転速度を設定するようにしたことを特徴とする画像読取装置。
【発明の効果】
【００１１】
本発明によれば、挿入されたＡＰＳカートリッジのスプールの径を判別して、フィルムを巻き取るときに適切な速度でスプールを回転させて巻き取るようにしたので、画像の読み取りを途中で中止してＡＰＳカートリッジのフィルムのコマ数がわからない場合や、違う種類の詰め替え用カートリッジに間違えてフィルムを詰め替えた場合などでも、安全かつ正常にフィルムをカートリッジに巻き取ることが可能になるという効果がある。
【発明を実施するための最良の形態】
【００１２】
以下に、本発明の実施の形態を、実施例に基づき図面を参照して詳細に説明する。
【実施例】
【００１３】
図１は、本発明実施例の画像読取装置の構成を示す斜視図である。同図において、１は画像読取装置であり、３５ｍｍ及びＡＰＳの各フィルムの画像を読み取ることができる。２は３５ｍｍ挿入口で、３５ｍｍフィルムを挿入する。３はＡＰＳ挿入口で、ＡＰＳカートリッジを挿入する。４はイジェクトボタンで、挿入されたフィルムを排出するためのボタンである。
【００１４】
図２は、ＡＰＳカートリッジの給送及び画像の読み取りに関するブロック図である。同図において、５はローラ、６は給送モータ、７はフィルム室、８はフィルム先端センサ、９はＡＰＳカートリッジ、１０はスプール、１１はフィルム、１２はスプールモータ、１３はパルス板、１４はスプール回転センサ、１５はインバータ、１６はランプ、１７は撮像光学系、１８はＣＣＤ、１９は信号処理回路、２０はマイコン、２１はメモリである。
【００１５】
ＡＰＳカートリッジ９及びフィルム１１の給送制御、画像読み取りなどの全ての制御はマイコン２０が司る。給送制御に関しては、ＡＰＳカートリッジ９のスプール１０を回転させるスプールモータ１２と、ローラ５を回転させる給送モータ６の２つのモータを制御することにより行なう。ＡＰＳカートリッジ９の内部に収められているフィルム１１は、スプールモータ１２を正転方向に駆動させることによりカートリッジから引き出される。フィルム先端がローラ５に噛む位置まで来ると、その後は給送モータ６の駆動によるローラ５の回転でフィルムがさらに引き出される。引き出されたフィルムはフィルム室７に渦を巻くように収められていく。フィルム１１がローラ５に噛んだ状態では、フィルムの走行速度を一定に保つため、スプールモータ１２を停止してスプール１０がフリーになるようにするとともに、ローラ５の回転速度が一定になるように給送モータ６を制御する。引き出されたフィルム１１をＡＰＳカートリッジ９の内部に巻き取る場合は、スプールモータ１２を逆転方向に駆動させることによりスプール９を回転させてフィルムを巻き取っていく。このとき、フィルム１１がローラ５に噛んでいると負荷が重く巻き取れないため、給送モータ６も同時に逆転方向に駆動して巻き取る。このように２つのモータを同時に駆動させるため、フィルム１１が装置内部でたるんだり突っ張ったりしないよう、２つのモータの駆動速度を適切に制御する必要がある。スプール１０の回転速度の検出は、パルス板１３及びスプール回転センサ１４で行なう。パルス板１３はスプールの回転軸と同軸になっており、スプールが回転するに従ってパルス板１３も回転する。パルス板１３にあけられた穴をスプール回転センサ１４で検出し、検出した信号の周期を検出することによりスプール１０の回転速度を検出することができる。
【００１６】
画像読み取りの制御に関しては、ランプ１６によりフィルム１１に照射された透過光を撮像光学系１７を介してＣＣＤ１８で撮像し、信号処理回路１９で信号処理を行なったのちメモリ２１に蓄えられる。メモリ２１に蓄えられた画像データは、不図示のパーソナルコンピュータやプリンタなどに転送されて利用される。ランプ１６の光量は、インバータ１５により最適な光量に調節される。
【００１７】
図３は、カートリッジからフィルムが引き出されていくに従ってスプールの回転速度がどのように変化するかを示したものである。同図において、スプール径はＡ＜Ｂであるものとする。図からわかるように、スプール径の違いにより回転速度が異なり、スプール径が小さいほど回転速度は速くなる。ここで、巻き取られているフィルムの長さは両者で同じものとする。この図に基づいて、スプール径に応じてフィルムをカートリッジ内に巻き取るときのスプール回転速度を適切に制御する必要がある。
【００１８】
図４は、本発明実施例の動作を示すフローチャートである。図４のフローチャートは、図２のメモリ２１に内蔵され、マイコン２０で処理されるプログラムフローを示すプログラム図であり、マイコン２０は該プログラムフローに従って制御動作を実行する。
【００１９】
同図のフローでは、ＡＰＳカートリッジ９を画像読取装置に挿入したときの処理を示している。以下に、フローの各ステップに沿って説明する。
【００２０】
ステップ１０１（図ではＳ１０１と記す、以下同様）：ＡＰＳカートリッジ９がＡＰＳ挿入口３に挿入されるまで待つ。
【００２１】
ステップ１０２：ＡＰＳカートリッジ９が挿入されたので、スプールモータ１２を正転方向に駆動開始する。これにより、スプール１０が回転し、フィルム１１が引き出される。
【００２２】
ステップ１０３：給送モータ６を正転方向に駆動開始する。これにより、フィルム１１の先端がローラ５に噛んだ位置まで引き出された時点で、ローラ５の回転運動によりフィルム１１はさらに引き出される。
【００２３】
ステップ１０４：フィルム１１の先端がフィルム先端センサ８で検出されるまで待つ。これは、フィルム１１の先端がローラ５に噛んだ状態かどうかを検出するための処理である。
【００２４】
ステップ１０５：フィルム１１の先端がローラ５に噛んだことが確認できたので、スプールモータ１２を停止し、給送モータ６の駆動力のみでフィルム１１を給送する状態にする。
【００２５】
ステップ１０６：スプール回転センサ１４が発生する信号の周期を計測することにより、スプール１０の回転速度を検出する。
【００２６】
ステップ１０７：ステップ１０６で検出したスプール１０の回転速度から、スプール径が図３のＡとＢのいずれであるかを判別する。
【００２７】
ステップ１０８：フィルム１１を一定速度で給送しながらＣＣＤ１８で撮像することにより、フィルム１１の画像を読み取る。
【００２８】
ステップ１０９：画像の読み取り中、または読み取り終了後、フィルム１１の排出要求があるかどうかを監視する。排出要求は、たとえばイジェクトボタン４がユーザにより押された場合に発生する。
【００２９】
ステップ１１０：フィルム１１の排出要求があったので、ＡＰＳカートリッジ９の中にフィルム１１を巻き取るために、給送モータ６の逆転駆動を開始する。
【００３０】
ステップ１１１：スプールモータ１２の逆転駆動を開始し、スプール１０を回してフィルム１１の巻き取りを開始する。
【００３１】
ステップ１１２：スプールモータ１２の駆動速度を設定する。設定する値は、ステップ１０７での判別結果から、図３の回転速度直線に基づいて、フィルムの巻き取りが進むに従って次第に下げていく。
【００３２】
ステップ１１３：フィルム１１がＡＰＳカートリッジ９の中に全て巻き取られるまで待つ。この判別は、フィルム１１の先端がフィルム先端センサ８を通過してから所定時間経過したかどうかを判別することにより行なう。
【００３３】
ステップ１１４：フィルム１１がＡＰＳカートリッジ９の中に全て巻き取られたので、給送モータ６を停止する。
【００３４】
ステップ１１５：スプールモータ１２を停止し、処理を終了する。
【００３５】
上記の動作フローでは、ＡＰＳカートリッジ９が挿入されてフィルム１１を引き出すときに、スプール１０の回転速度の検出を行なっている。スプール１０の回転速度は、図３に示すようにスプール径によって異なるため、検出した回転速度からスプール径を判別することができる。そして、引き出されたフィルム１１をＡＰＳカートリッジ９の中に巻き取るときに、給送モータ６を所定速度で駆動するとともに、スプールモータ１２を図３の速度直線に沿った速度で駆動することにより巻き取っている。
【００３６】
このようにすることにより、スプール１０の回転速度が適切に制御され、装置内部でフィルム１１がたるんだり突っ張ったりして損傷を与えることなく、確実にＡＰＳカートリッジ１０の中に巻き取ることができる。
【図面の簡単な説明】
【００３７】
【図１】実施例の画像読取装置の構成説明斜視図
【図２】実施例のＡＰＳカートリッジのフィルム給送及び画像の読み取りに関するブロック図
【図３】スプール径とスプール回転速度の関係説明図
【図４】実施例の動作を示すフローチャート
【符号の説明】
【００３８】
１  画像読取装置
２  ３５ｍｍ挿入口
３  ＡＰＳ挿入口
４  イジェクトボタン
５  ローラ
６  給送モータ
７  フィルム室
８  フィルム先端センサ
９  ＡＰＳカートリッジ
１０  スプール
１１  フィルム
１２  スプールモータ
１３  パルス板
１４  スプール回転センサ
１５  インバータ
１６  ランプ
１７  撮像光学系
１８  ＣＣＤ
１９  信号処理回路
２０  マイコン
２１  メモリ
【図１】
2006165612.tif 000003
【図２】
2006165612.tif 000004
【図３】
2006165612.tif 000005
【図４】
2006165612.tif 000006